(57)【要約】【課題】  部品点数が少なく、薄型化を妨げず、湿度等の影響がなく、立ち上げミラーの角度調整が容易に安定して行える立ち上げミラー調整機構を提供する。【解決手段】  ミラーホルダ４３は、互いに距離を置いて略平行に位置させた第１の平板部４３１及び第２の平板部４３２と、第１の平板部と第２の平板部の間を傾きを持って連結するとともに立ち上げミラー４１を保持するホルダ部４３３とを有している。調整用ネジ４５は、軸部が第１の平板部に形成されたネジ挿入穴４３４に回転自在に挿入され、かつ第２の平板部に形成されたネジ穴４３８に螺合している。調整用ネジを回転させて、第２の平板部を第１の平板部に対して近づけ又は遠ざけることにより、前記ミラー調整ホルダの一部を変形させてホルダ部に保持される立ち上げミラーの角度を調整する。【選択図】    図４
2005276251.tif 000002
【特許請求の範囲】
【請求項１】
光ピックアップに用いられる立ち上げミラーの角度を調整するための立ち上げミラー調整機構において、
互いに距離を置いて略平行に位置する第１の平板部及び第２の平板部と、前記第１の平板部と前記第２の平板部と間を傾きを持って連結するとともに前記立ち上げミラーを保持するホルダ部とが一体形成されたミラー調整ホルダと、
軸部と該軸部より大きな径を持つ頭部とを有し、前記軸部のみが前記第１の平板部に形成されたネジ挿入穴に回転自在に挿入され、かつ前記第２の平板部に形成されたネジ穴に形成された雌ネジに螺合する調整用ネジと、
を備え、
前記第１の平板部と前記第２の平板部との距離を変更するように前記調整用ネジを回転させることによって前記ミラー調整ホルダの一部を変形させ、それによって前記ホルダ部に保持される前記立ち上げミラーの角度を調整するようにしたことを特徴とする立ち上げミラー調整機構。
【請求項２】
請求項１に記載された立ち上げミラー調整機構において、
前記光ピックアップの光学ベースと前記第１の平板部の相互に接触する面がともに平面であることを特徴とする立ち上げミラー調整機構。
【請求項３】
請求項１または２に記載された立ち上げミラー調整機構において、
前記ホルダ部と前記第１の平板部との間の境界周辺部を塑性変形させることにより、前記ホルダ部の前記第１の平板部に対する角度を変更し、それによって前記立ち上げミラーの角度を変更するようにしたことを特徴とする立ち上げミラー調整機構。
【請求項４】
請求項３に記載された立ち上げミラー調整機構において、
前記境界周辺部に塑性変形を容易にするための溝が形成されていることを特徴とする立ち上げミラー調整機構。
【請求項５】
請求項１乃至４のうちのいずれか一つに記載された立ち上げミラー調整機構において、
前記第１の平板部と前記第２の平板部とを互いに遠ざける方向に作用するコイルバネが、前記調整用ネジに装着されていることを特徴とする立ち上げミラー調整機構。
【請求項６】
請求項１乃至５のいずれか一つに記載された立ち上げミラー調整機構において、
前記第１の平板部が、前記光学ベースに対する取り付け位置及び角度を調整するために用いられるピンを受けるための複数の切り欠きを有していることを特徴とする立ち上げミラー調整機構。
【請求項７】
請求項１乃至６のいずれか一つに記載された立ち上げミラー調整機構を備えたことを特徴とする光ピックアップ。
【請求項８】
請求項７に記載された光ピックアップを備えたことを特徴とする光ディスクドライブ。
【発明の詳細な説明】
【技術分野】
【０００１】
本発明は、光ディスクドライブに用いられる光ピックアップの立ち上げミラー調整機構に関し、特に、立ち上げミラーの角度調節に関する。
【背景技術】
【０００２】
光ディスクドライブは、ＣＤ（オーディオＣＤ，ＣＤ−Ｒ，ＣＤ−ＲＷ，ＣＤ−ＲＯＭ）やＤＶＤ（ＤＶＤ−ＲＯＭ，ＤＶＤ−ＲＡＭ，ＤＶＤ±ＲＷ）といった光ディスクに記録された情報を読み出し、また、書き込み可能な光ディスクに対して情報を書き込むための装置である。そのため、光ディスクドライブは、光ディスクにレーザビームを照射し、その反射光を検出するための光ピックアップを備えている。
【０００３】
光ピックアップは、光ディスクの径方向に移動可能に設けられる光学ベースと、この光学ベースに搭載される発光部、受光部及び光学系を含んでいる。そして、光学系には、発光部からのレーザビームを光ディスクに照射するとともに、その反射光を受光部へ向かわせるための立ち上げミラーが含まれている。
【０００４】
一般に、立ち上げミラーはミラーホルダに保持され、そのミラーホルダが光ピックアップの光学ベースに固定される。ミラーホルダは、光学ベースに固定された状態で、立ち上げミラーに入射するレーザビームが所定方向に向かって反射されるように形成される。
【０００５】
しかしながら、製造ばらつき等により、立ち上げミラーで反射されたレーザビームが所定方向からずれることがある。それゆえ、立ち上げミラーの角度を調整するための立ち上げミラー調整機構が必要とされている。
【０００６】
従来の立ち上げミラー調整機構は、図１に示すように、立ち上げミラー１１を保持するホルダ１２に球面部１２１を設けるとともに、光学ベース１３に球面座１３１を形成し、ホルダ１２の球面部１２１を光学ベース１３の球面座１３１で回転可能に支持することによって、立ち上げミラー１１の角度を調節できるようにしている（例えば、特許文献１参照。）。
【０００７】
また、従来の別の立ち上げミラー調整機構は、図２に示すように、立ち上げミラー２１を保持するホルダ２２をコイルバネ２３を介して支持体２４取り付け、調整ネジ２５でホルダ２２の角度を調整して接着剤２６で固定するか、あるいは図３に示すように、立ち上げミラー２１ａを支持体に２４ａに取り付けられた板バネ３１に固定し、調整ネジ２５で板バネ３１を変形させて角度調整を行って接着剤２６で固定するようにしている（例えば、特許文献２参照。）。
【０００８】
【特許文献１】特開２００２−５６５６３号公報（特に、図２）
【特許文献２】特開平６−８９４５８号公報（特に、図１及び図２）
【発明の開示】
【発明が解決しようとする課題】
【０００９】
従来の、ホルダに球面部を設けるとともに光学ベースに球面座を設けた立ち上げミラー調整機構は、立ち上げミラーを直交する３軸のいずれをも回転軸として回転させることができるという特長を有する反面、特定の一軸に関してのみ角度調整を行うことが極めて困難で、結果的に立ち上げミラーの角度調整が困難であるという問題点がある。
【００１０】
また、コイルバネ又は板バネと調整ネジとの組み合わせによるミラー調整機構には、部品点数が多く高い組立て精度が要求されるという問題点がある。また、このミラー調整機構には、薄型化が困難であるという問題点もある。さらに、このミラー調整機構では、調整を可能にするため接着剤層を厚くせざるを得ず、吸湿等による変化の影響が大きいという問題点もある。
【００１１】
そこで、本発明は、部品点数が少なく、薄型化を妨げず、湿度等の影響がなく、立ち上げミラーの角度調整が容易に安定して行える立ち上げミラー調整機構を提供することを目的とする。
【課題を解決するための手段】
【００１２】
本発明によれば、光ピックアップに用いられる立ち上げミラーの角度を調整するための立ち上げミラー調整機構において、互いに距離を置いて略平行に位置する第１の平板部（４３１）及び第２の平板部（４３２）と、前記第１の平板部と前記第２の平板部と間を傾きを持って連結するとともに前記立ち上げミラー（４１）を保持するホルダ部（４３３）とが一体形成されたミラー調整ホルダ（４３）と、軸部と該軸部より大きな径を持つ頭部とを有し、前記軸部のみが前記第１の平板部に形成されたネジ挿入穴（４３４）に回転自在に挿入され、かつ前記第２の平板部に形成されたネジ穴（４３８）に形成された雌ネジに螺合する調整用ネジ（４５）とを備え、前記第１の平板部と前記第２の平板部との距離を変更するように前記調整用ネジを回転させることによって前記ミラー調整ホルダの一部を変形させ、それによって前記ホルダ部に保持される前記立ち上げミラーの角度を調整するようにしたことを特徴とする立ち上げミラー調整機構が得られる。
【００１３】
上記立ち上げミラー調整機構において、前記光ピックアップの光学ベース（７１）と前記第１の平板部の相互に接触する面はともに平面に形成される。
【００１４】
また、上記立ち上げミラー調整機構では、前記ホルダ部と前記第１の平板部との間の境界周辺部を塑性変形させることにより、前記ホルダ部の前記第１の平板部に対する角度を変更し、それによって前記立ち上げミラーの角度を変更するようにしている。
【００１５】
なお、上記カッコ内の数字は、単に本発明の理解を容易にするために用いられており、何ら本発明を限定するものではない。
【発明の効果】
【００１６】
本発明の立ち上げミラー調整機構は、第１及び第２の平板部とそれを連結するホルダ部とが一体形形成されたミラー調整ホルダと、第１の平板部のネジ挿入穴に挿入されて第２の平板部のネジ穴に螺合する調整用ネジとを備えたことにより、立ち上げミラーの角度調整を特定の回転軸に関して精度よく行うことができる。
【００１７】
また、本発明の立ち上げミラー調整機構は、部品点数が少なく、調整用ネジを組み付けるだけなので、支持体にホルダあるいは板バネを取り付けるような作業を必要とせず、高い組立て精度が不要である。また、接着剤層により立上げミラーの角度を固定しないので湿度による影響がない。さらに、調整用ネジの長さが立ち上げミラーと同程度なので薄型化の妨げとならない。
【００１８】
さらに、本発明の立ち上げミラー調整機構では、光ピックアップの光学ベースと第１の平板部の相互に接触する面をともに平面としたので、光学ベースに対するホルダの向きを、調整用ネジによる立ち上げミラーの角度調整から独立して行うことができる。
【発明を実施するための最良の形態】
【００１９】
以下、図面を参照して本発明の実施の形態について説明する。
【００２０】
図４（ａ）、（ｂ）及び（ｃ）に本発明の立ち上げミラー調整機構の主要部（以下、ミラーユニットという。）を示す。
【００２１】
図示のミラーユニット４０は、立ち上げミラー４１を保持するミラー調整ホルダ４３と、調整用ネジ４５、及び調整用バネ４７を有している。
【００２２】
ミラー調整ホルダ４３は、第１及び第２の平板状部４３１，４３２と、これらの間を連結するホルダ部４３３とを有している。
【００２３】
第１の板状部４３１は、略Ｃ字型の平板で、調整用ネジ４５の軸部（ネジ部）を回転自在に受け入れるネジ挿入穴４３４を有している。また、第１の平板状部４３１は、調整用ネジ４５の頭部を完全に又は不完全に収容する凹所４３５を有している。さらに、第１の平板状部４３１には、その両側に、後述する調整ピンを受ける切欠き４３６が形成されている。
【００２４】
第２の平板状部４３２は、後端が丸みを持つ平板であって、その両側にはホルダ部４３３に続く側板４３７が形成されている。第２の平板状部４３２は、第１の平板状部４３１から所定の距離を置き、互いに略平行となるように配置され、第１の平板状部４３１に形成されたネジ挿入穴４３４の上方に、ネジ調整用ネジ４５に螺合する雌ネジが切られたネジ穴４３８が形成されている。
【００２５】
ホルダ部４３３は、第１の平板状部４３１の前端側の二箇所に連結され、そこから斜め後方に向かって斜めに延びている。そして、ホルダ部４３３は、第１の平板状部４３１と第２の平板状部４３２との間を傾きをもって連結する。ホルダ部４３３と第１の平板状部４３１との境界周辺部は、そこでの塑性変形を容易にするため肉薄に形成され、また、そこには溝４３９が形成されている。また、ホルダ部４３３は、その下部に、第１の平板状部４３１との２箇所の連結部の間に位置し、立ち上げミラー４１を受けるミラー受け部４４０を有している。さらに、ホルダ部４３３は、第２の平板状部４３２から続く側板４３７の内側に、立ち上げミラー４１を保持する爪部４４１を有している。また、ホルダ部４３３の上面には、立ち上げミラー４５の位置決めを容易にする複数の隆起部４４２が形成されている。
【００２６】
第１の平板状部４３１、第２の平板状部４３２及びホルダ部４３３を含むミラー調整ホルダ４３は、同一材料、例えば、アルミニウム等の金属を用いて一体形成される。その形成方法は、削り出しや鍛造など、種々の方法を用いることができる。本実施の形態では、ミラー調整ホルダ４３を一体形成するようにしたことにより、複数の部品を組み合わせる場合の高い組立て精度が不要で、組立て時の位置ずれを防止することができる。
【００２７】
調整用ネジ４５は、第１の平板状部４３１の下面側からネジ挿入穴４３４に挿入され、その頭部を凹所４３５の底面に接触させた状態で、第２の平板状部４３２のネジ穴４３８に螺合する長さを持つ。その長さは、立上げミラーの高さをほぼ同じなので、薄型化を阻害することはない。
【００２８】
調整用バネ４５は、第１の平板状部４３１と第２の平板状部４３２との間で調整用ネジ４５に装着されたとき、第１の平板状部４３１と第２の平板状部４３２の間に互いに離れる方向の力を作用させる長さとバネ定数を有する。調整用バネの長さやバネ定数は、ミラー調整ホルダ４３の強度等に応じて適切に設定される。
【００２９】
次に、図５を参照して、立ち上げミラー４１のラティチュード（latitude）方向の角度調整方法について説明する。
【００３０】
まず、調整用ネジ４５の軸部を第１の平板状部４３１のネジ挿入穴４３４に挿入した後、第２の平板状部４３２のネジ穴４３８に螺合させ、その頭部を第１の平板状部４３１に形成された凹所４３５の底部に当接させる。その状態及びさらにそれより調整用ネジ４５をねじ込んだ状態では、調整用バネ４７が第１の平板状部４３１と第２の平板状部４３２との間に互いに離れる方向の力を作用させる。これにより、調整用ネジ４５とネジ穴４３８に形成された雌ネジとの間の隙間の影響が取り除かれる。
【００３１】
調整用ネジ４５を、その頭部が凹所４３５の底部に接触している状態で回転させると、第２の平板状部４３２が第１の平板状部４３１に対して引き寄せられ又は遠ざけられる。このとき、第１の平板状部４３１とホルダ部４３３の間の境界周辺部が塑性変形して、ホルダ部４３３の第１の平板状部４３１に対する角度が変化する。その結果、ホルダ部４３３に保持された立ち上げミラー４１のラティチュード方向の角度が変化する。前述のように、調整用ネジ４５とネジ穴４３８に形成された雌ネジとの隙間の影響は、調整用バネ４７の働きにより除去されるので、高精度で立ち上げミラー４１の角度を調整することができる。
【００３２】
なお、立ち上げミラー４１の角度調整を、第２の平板状部４３２を第１の平板状部４３１の方へ近付ける方向（調整用ネジ４５をねじ込む方向）にのみ行なって完了できる場合には、調整用バネ４７が無くても高い精度で調整可能である。
【００３３】
また、第１の平板状部４３１に対する第２の平板状部４３２の傾きが大きくなると調整用ネジ４５の回転が不能になるが、通常、立ち上げミラーの角度調整は小さな角度範囲で行われるので、調整用ネジ４５が回転不能となるようなことはない。
【００３４】
次に、図６を参照して、立ち上げミラー４１のロンギチュード（longitude）方向の角度調整方法について説明する。
【００３５】
図６に示すように、立ち上げミラー４１のロンギチュード方向の角度調整は、ミラーユニット４０全体を所定の回転軸を回転の中心として回転させることにより行う。このような回転を可能にするため、ミラーユニット４０は、図７（ａ）及び（ｂ）に示すように、その上下を反転させた状態で、光ピックアップの光学ベース７１の下面側に取り付けられる。
【００３６】
ミラーユニット４０の光学ベース７１への取り付けは、図示しない取り付け装置の調整ピン７２を用いて行う。即ち、調整ピン７２の先端の突起をミラー調整ホルダ４３の第１の平板状部４３２の側面に形成された切欠き４３６内に位置させ、調整ピン７２でミラー調整ホルダ４３を挟み込んで搬送し、光学ベース７１の所定位置に置く。ここで、互いに対向し接触する第１の平板状部４３２の上面と光学ベース７１の下面とは、ともに平面に形成されている。それゆえ、ミラーユニット４０は、光学ベースに７１の下面の表面上に載置された状態で、調整ピン７２を用いて図６に示したように回転させることが可能である。また、ミラーユニット４０は、調整ピン７２を用いて、立ち上げミラーに入射するレーザ光に沿った方向（タンデンシャル方向）にも移動調整可能である。これらの調整を行う際に、光学ベースはミラー調整機構の一部を構成する。ミラーユニット４０は、ランギチュード方向の角度調整が終了した後、光学ベース７１に接着剤等を用いて固定される。このとき、ミラーユニット４０と光学ベース７１との間に厚い接着剤層は不要なので、後に湿度等の影響で光学ベース７１に対してミラーユニット４０が傾くようなことはない。
【００３７】
以上の説明から明らかなように、本実施の形態に係る立ち上げミラー調整機構では、立ち上げミラーのラティチュード方向の角度調整と、ロンギチュード方向の角度調整とを互いに独立して行うことができるので、その調整が容易かつ安定して行え、調整精度を高めることができる。
【００３８】
本実施の形態に係る立ち上げミラー調整機構は、公知の構成を持つ光ピックアップに適用することができる。また、上記立ち上げミラー調整機構を有する光ピックアップは、公知の構成を持つ光ディスクドライブに適用することができる。
【図面の簡単な説明】
【００３９】
【図１】従来の立ち上げミラー調整機構を説明するための分解斜視図である。
【図２】従来の別の立ち上げミラー調整機構を説明するための概略構成図である。
【図３】従来のさらに別の立ち上げミラー調整機構を説明するための概略構成図である。
【図４】本発明の一実施の形態に係る立ち上げミラー調整機構に含まれるミラーユニットを説明するための図であって、（ａ）は右斜め前上方から見た斜視図、（ｂ）は分解斜視図及び（ｃ）は右斜め下方から見た斜視図である。
【図５】図４のミラーユニットにおける立ち上げミラーのラティチュード方向の角度調整方法を説明するための側面図である。
【図６】図４のミラーユニットにおける立ち上げミラーのロンギチュード方向の角度調性方法を説明するための底面図である。
【図７】図４のミラーユニットの光学ベースへの取付けを説明するための図であって、（ａ）は取り付け前の状態を示す図、（ｂ）は取り付け作業中の状態を示す図である。
【符号の説明】
【００４０】
１１    立ち上げミラー
１２    ホルダ
１２１    球面部
１３    光学ベース
１３１    球面座
２１，２１ａ    立ち上げミラー
２２    ホルダ
２３    コイルバネ
２４，２４ａ    支持体
２５    調整ネジ
２６    接着剤
３１    板バネ
４０    ミラーユニット
４１    立ち上げミラー
４３    ミラー調整ホルダ
４３１    第１の平板状部
４３２    第２の平板状部
４３３    ホルダ部
４３４    ネジ挿入穴
４３５    凹所
４３６    切欠き
４３７    側板
４３８    ネジ穴
４３９    溝
４４０    ミラー受け部
４４１    爪部
４４２    隆起部
４５    調整用ネジ
４７    調整用バネ
７１    光学ベース
７２    調整ピン
【図１】
2005276251.tif 000003
【図２】
2005276251.tif 000004
【図３】
2005276251.tif 000005
【図４】
2005276251.tif 000006
【図５】
2005276251.tif 000007
【図６】
2005276251.tif 000008
【図７】
2005276251.tif 000009